(57)【要約】【課題】遊技機において、遊技球誘導樋内の異物を除去するとともに、基板ケースへの異物の進入を防止する。【解決手段】遊技球４５０が貯留される貯留タンク４００と、貯留タンク４００に貯留された遊技球４５０を払出装置に誘導する遊技球誘導樋４２０と、遊技球誘導樋４２０の底部において遊技球４５０の直径よりも小さな幅で形成され、遊技球誘導樋４２０内の異物を落下排出可能な異物落下孔４２３と、遊技球誘導樋４２０の下方に配置され、開口部１１１を備えるとともに遊技機の動作制御を行う制御基板を保護する基板ケース１１０と、遊技球誘導樋４２０と基板ケース１１０との間で、且つ異物落下孔４２３に向けて開口した開口部１１１の上方を含む位置に設けられ、異物落下孔４２３から排出された異物が導入される異物導入部４３０とを有する構成とする。【選択図】        図６
2006087549.tif 000002
【特許請求の範囲】
【請求項１】
遊技球が貯留される貯留タンクと、
前記貯留タンクに貯留された遊技球を払出装置に誘導する遊技球誘導樋と、
前記遊技球誘導樋の底部において遊技球の直径よりも小さな幅で形成され、前記遊技球誘導樋内の異物を落下排出可能な異物落下孔と、
前記誘導樋の下方に設けられ、前記異物落下孔から排出された異物が導入される異物導入部と、
を有することを特徴とする遊技機。
【請求項２】
前記遊技球誘導樋の下方には、開口部を備えるとともに遊技機の動作制御を行う制御基板を保護する基板ケースが配置され、
前記異物導入部は、前記遊技球誘導樋と前記基板ケースとの間で、且つ前記異物落下孔に向けて開口した前記開口部の上方を含む位置に設けられていることを特徴とする請求項１記載の遊技機。
【請求項３】
前記異物導入部は、外側に向けて開口していることを特徴とする請求項１または２記載の遊技機。
【請求項４】
前記異物導入部は、前記基板ケースの表面以上に外側に突出した底部を有していることを特徴とする請求項３記載の遊技機。
【請求項５】
前記底部は外側に向かって下方に傾斜していることを特徴とする請求項４記載の遊技機。
【請求項６】
前記異物導入部は、全周にわたって側壁を有する箱状体であることを特徴とする請求項１または２記載の遊技機。
【請求項７】
前記異物導入部は、遊技球誘導樋と一体成型されていることを特徴とする請求項１〜６の何れか一項に記載の遊技機。
【請求項８】
前記異物導入部は、遊技機に着脱可能に取り付けられていることを特徴とする請求項１〜６の何れか一項に記載の遊技機。
【発明の詳細な説明】
【技術分野】
【０００１】
本発明は遊技機に関し、特に遊技媒体として遊技球を用いて遊技を行う遊技機に設けられた遊技球誘導樋における異物除去に適用して有効な技術に関するものである。
【背景技術】
【０００２】
遊技媒体として遊技球を用いて遊技を行う遊技機であるパチンコ機では、背面側の上部に設けられた遊技球貯留用の貯留タンクの下方に遊技球誘導樋が配置されており、貯留タンクに貯留された遊技球はこの遊技球誘導樋に誘導されて払出装置へと案内される。
【０００３】
そして、遊技球に付着したゴミやメッキ屑などの異物が遊技球誘導樋に堆積して遊技球のスムーズな流れが阻害されることのないように、例えば特開１９９１−７０５８７号公報や特開２００２−１１１９１号公報に記載されているように、従来では、遊技球誘導樋にゴミを落下排出するための異物落下孔を形成し、異物をこの異物落下孔から落下させていた。
【特許文献１】特開１９９１−７０５８７号公報
【特許文献２】特開２００２−１１１９１号公報
【発明の開示】
【発明が解決しようとする課題】
【０００４】
遊技機の背面側には、前述した貯留タンクや遊技球誘導樋の下方に、様々な制御基板や中継基板などの電子部品が搭載されている。
【０００５】
そのため、従来の技術のように遊技球誘導樋から異物を落下させた場合には、異物が遊技機の背面を飛散して電子部品に付着し、例えば配線間のブリッジとなるなどにより電気的なショートが発生するおそれがある。
【０００６】
そして、異物の進入で電子部品のトラブルが懸念されるのでは、遊技機の正確な動作を担保することができない。
【０００７】
そこで、本発明は、遊技球誘導樋内の異物を除去するとともに、異物の進入による電子部品のトラブルを防止することのできる遊技機を提供することを目的とする。
【課題を解決するための手段】
【０００８】
上記課題を解決するため、本発明に係る遊技機は、遊技球が貯留される貯留タンクと、貯留タンクに貯留された遊技球を払出装置に誘導する遊技球誘導樋と、遊技球誘導樋の底部において遊技球の直径よりも小さな幅で形成され、遊技球誘導樋内の異物を落下排出可能な異物落下孔と、誘導樋の下方に設けられ、異物落下孔から排出された異物が導入される異物導入部とを有することを特徴とする。
【０００９】
これにより、遊技球誘導樋内の異物が異物落下孔から落下して除去されるとともに、落下した異物は異物導入部に導入される。したがって、異物の進入による電子部品のトラブルが発生するおそれがなくなり、遊技機の正確な動作を担保することが可能になる。
【００１０】
本発明の好ましい形態において、遊技球誘導樋の下方には、開口部を備えるとともに遊技機の動作制御を行う制御基板を保護する基板ケースが配置され、異物導入部は、遊技球誘導樋と基板ケースとの間で、且つ異物落下孔に向けて開口した開口部の上方を含む位置に設けられていることを特徴とする。
【００１１】
これにより、遊技球誘導樋内の異物が異物落下孔から落下して除去されるとともに、落下した異物は異物導入部に導入されるので、特に、基板ケースの開口部から内部に進入することが防止される。したがって、基板ケース内の基板に異物が付着して電子部品である制御基板の電気的なショートが発生するおそれがなくなり、遊技機の正確な動作を担保することが可能になる。
【００１２】
本発明のさらに好ましい形態において、異物導入部は、外側に向けて開口していることを特徴とする。
【００１３】
これにより、外側に向けて開口した異物導入部から、異物を容易に取り出すことができる。
【００１４】
本発明のさらに好ましい形態において、異物導入部は、基板ケースの表面以上に外側に突出した底部を有していることを特徴とする。
【００１５】
これにより、一層異物が進入しにくくなるので、より大きな開口部を確保することができる。
【００１６】
本発明のさらに好ましい形態において、底部は外側に向かって下方に傾斜していることを特徴とする。
【００１７】
これにより、導入された異物は底部に沿って島設備側に落下しやすくなるので、異物導入部に異物が貯まりにくくなって異物を取り除く頻度が低減される。
【００１８】
本発明のさらに好ましい形態において、異物導入部は、全周にわたって側壁を有する箱状体であることを特徴とする。
【００１９】
これにより、落下異物を異物導入部内に確実に閉じ込めることができる。
【００２０】
本発明のさらに好ましい形態において、異物導入部は、遊技球誘導樋と一体成型されていることを特徴とする。
【００２１】
これにより、両者を別体に形成した場合に比べて部品点数が削減されるとともに組み立て工程も単純化できることから、コストの低減が図れる。
【００２２】
本発明のさらに好ましい形態において、異物導入部は、遊技機に着脱可能に取り付けられていることを特徴とする。
【００２３】
これにより、異物導入部を取り外せるので、異物導入部内の異物の除去が容易になるとともに、異物導入部の清掃を容易に行うことができる。
【発明の効果】
【００２４】
本発明によれば以下の効果を奏することができる。
【００２５】
すなわち、本発明によれば、遊技球誘導樋内の異物が異物落下孔から落下して除去されるとともに、落下した異物は異物導入部に導入される。
【００２６】
これにより、異物の進入による電子部品のトラブルが発生するおそれがなくなり、遊技機の正確な動作を担保することが可能になる。
【発明を実施するための最良の形態】
【００２７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２８】
図１は本発明の一実施の形態である遊技機を示す斜視図、図２は図１の遊技機の背面側を示す正面図、図３は図２の遊技機の背面側における要部を示す斜視図、図４は図１の遊技機に設けられた遊技球誘導樋と異物導入部とを示す斜視図、図５は図４の正面図、図６は図４のＡ−Ａ′線に沿って基板ケースを含めた断面図、図７は本発明の他の実施の形態である遊技球誘導樋と異物導入部とを示す斜視図である。
【００２９】
図１に示すように、パチンコ機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００３０】
遊技盤２ａは、そのレール６に包囲された遊技領域２ｂに、多数の遊技くぎや風車などの障害物（図示せず）、一般入賞口１２、通過ゲート（図示せず）、始動口１３、大入賞口１４、アウト口１５、普通図柄表示装置および特別図柄表示装置を構成する画像表示装置としての液晶ディスプレイ（ＬＣＤ）２１などからなる遊技部材が配置されている。
【００３１】
ここで、一般入賞口１２は、遊技球が入賞すると所定の数の遊技球が払い戻される装置、通過ゲートは、遊技球が通過したことを契機として普通図柄表示装置の複数の図柄を変動・停止させる装置、始動口１３は、遊技球が入賞すると特別図柄表示装置の複数の図柄を変動・停止させる装置、大入賞口１４は、特別図柄表示装置の停止時における図柄の組み合わせが予め設定された特定の図柄の組み合わせとなって特別遊技状態に移行した場合に開放状態となる装置である。また、アウト口１５は、一般入賞口１２、始動口１３、大入賞口１４の何れにも入賞しなかった遊技球が流入して回収される装置である。
【００３２】
そして、液晶ディスプレイ２１は、画像信号入力に基づいて任意の画像を表示する装置であり、本実施の形態においては、前述のように普通図柄表示装置と特別図柄表示装置とが液晶ディスプレイ２１内に一体化されている。但し、両者は別体になっていてもよい。
【００３３】
なお、遊技盤２ａが透明である本実施の形態では、液晶ディスプレイ２１が遊技盤２ａを通して視認可能に配置されている。また、画像表示装置としては、液晶ディスプレイ以外にも、例えばＣＲＴ（陰極線管）あるいはプラズマディスプレイ等を用いることもできる。
【００３４】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域２ｂへ遊技球を打ち込む際に回動操作されるハンドル７が設けられている。さらに、遊技終了時などにおいて上皿５ａに貯留された遊技球を下皿５ｂに移動させて取り出す場合に操作されるシャッタレバー１０が設けられている。
【００３５】
なお、ガラス扉４の上部の左右には、スピーカ８ａ，８ｂがそれぞれ配置されている。
【００３６】
次に、このような遊技機の背面側の構造について、図２を用いて説明する。
【００３７】
図示するように、遊技盤２ａの背面側には、その上部に、遊技球が貯留される貯留タンク４００が配置され、この貯留タンク４００に貯留された遊技球を払出装置を介して上皿５ａに払い出すために、遊技球流通路４１０が形成されている。そして、貯留タンク４００の直下には、貯留タンク４００に貯留された遊技球を遊技球流通路４１０を通して払出装置に誘導する遊技球誘導樋４２０が設けられている。なお、遊技球誘導樋４２０およびその周辺の構造については、後述する。
【００３８】
遊技球誘導樋４２０の下方には、主制御基板、副制御基板、枠中継基板、インバータ基板、電源基板、発射制御基板、払出制御基板、ＣＲ用基板などが基板ケースに収納されて適宜配置されている。また、側方には演出中継基板が配置されている。図２において、符号１１０は主制御基板の基板ケース、符号１１０は副制御基板の基板ケース、符号１３０は枠中継基板の基板ケース、符号１４０はインバータ基板の基板ケース、符号１５０は電源基板の基板ケース、符号１６０は発射制御基板の基板ケース、符号１７０は払出制御基板の基板ケース、符号１８０はＣＲ用基板の基板ケース、符号１２０は演出中継基板１２０の基板ケースであり、主制御基板等はこれら基板ケースに収納されて保護されている。
【００３９】
なお、本実施の形態においては、遊技球誘導樋４２０の真下には副制御基板の基板ケース１１０が配置されており、この基板ケース１１０の上部には、放熱用やコネクタ挿入用の開口部１１１が上方に開口して形成されている。
【００４０】
主制御基板には、予め設定されたプログラムに従ってパチンコ機１の遊技動作を行うメインＣＰＵ（超小型演算処理装置）、異常時や電源投入時に各種設定を初期値に戻すためのリセット信号を生成する初期リセット回路、メインＣＰＵが動作する上で必要な各種データを記憶するメインＲＡＭ、メインＣＰＵがパチンコ機１の遊技動作を処理制御するためのプログラム、乱数抽選によって大当り判定をする際に参照される大当り判定テーブル、乱数抽選によって普通当り判定をする際に参照される普通当り判定テーブル、演出を抽選する際に参照される各種確率テーブルを格納しているメインＲＯＭなどが実装されている。
【００４１】
また、主制御基板には、通過ゲートを遊技球が通過するのを検知する通過ゲートスイッチ、始動口１３に入賞した遊技球を検知する始動口スイッチ、大入賞口１４内の継続入賞口に入賞した遊技球を検知するＶ・カウントスイッチ、大入賞口１４内の普通入賞口に入賞した遊技球を検知するカウントスイッチ、一般入賞口１２へ入賞した遊技球を検知する一般入賞口スイッチ、メインＲＡＭに記憶されている各種データを消去するためのバックアップクリアスイッチ、始動口１３に設けられた普通電動役物の切り替えを行う始動口ソレノイド、大入賞口１４の扉を開閉する大入賞口ソレノイド、大入賞口１４内のシーソを駆動するシーソソレノイド等が接続されている。
【００４２】
さらに、主制御基板には、ハンドル７の操作によって発射装置から発射される遊技球を検知する発射球センサ（図示せず）、および発射されたものの遊技盤２ａの盤面まで到達せずにレール６を戻ってきた遊技球を検知する戻り球センサ（図示せず）が接続されている。
【００４３】
副制御基板には、主制御基板から受信したコマンドの解釈結果に従って制御を実行するサブＣＰＵ、画像制御回路を処理制御するための制御プログラム、音声制御回路を処理制御するための制御プログラム、およびランプ制御回路を処理制御するための制御プログラムなどが格納されたプログラムＲＯＭ、サブＣＰＵが制御プログラムに従って処理制御を行う際の一時的な記憶手段であるワークＲＡＭ、液晶ディスプレイ２１に表示される特別図柄や背景画を制御する画像制御回路、音声信号を生成してスピーカに音を発生させる音声制御回路が実装されている。
【００４４】
枠中継基板は、ＡＣ電源の取り込みや基板間の信号の中継を行う。
【００４５】
インバータ基板は、液晶ディスプレイ２１などを照明するための冷陰極管のインバータを制御する。
【００４６】
電源基板は、各電子部品が動作するために必要な電圧の電源（例えば２４Ｖ、１２Ｖ、５Ｖなど）を生成する。
【００４７】
発射制御基板は、ハンドル７の回動操作に応じて発射ソレノイドを駆動制御し、発射装置から遊技球を発射させる。
【００４８】
払出制御基板は、遊技球を遊技領域２ｂに向けて発射する発射装置が接続されており、一般入賞口１２および大入賞口１４などに遊技球が入球したことを条件として主制御基板１００から出力される払出指令信号に応じ、所定数の遊技球を賞球として払出させる。また、カードユニットから出力される貸出指令信号に応じ、所定数の遊技球を貸球として払出させる。
【００４９】
ＣＲ用基板は、プリペイドカードに記録された記録情報の読み取り手段、払出制御基板に対して遊技球の貸出を指令する貸出指令信号を出力する貸出指令信号出力手段、および貸し出した遊技球の数を減算した情報をプリペイドカードへ書き込む書き込み手段を構成する。
【００５０】
そして、演出中継基板は、副制御基板に設けられたサブＣＰＵの制御に基づき信号を生成し、ランプやＬＥＤの点灯表示等を行う。
【００５１】
次に、遊技球誘導樋４２０およびその周辺の構造について、図３〜図６を用いて説明する。
【００５２】
図３において、貯留タンク４００は上部が開口した箱形となっており、島設備から遊技球が供給されるようになっている。貯留タンク４００の底面には遊技球誘導樋４２０に開口した遊技球落下孔（図示せず）が形成されており、底面はこの遊技球落下孔に向かって緩やかに下方に傾斜している。したがって、島設備から供給された遊技球は底面の傾斜に沿って遊技球落下孔へ誘導され、この遊技球落下孔から遊技球誘導樋４２０へと案内される。
【００５３】
また、図３、図４、図５および図６において、貯留タンク４００の真下に配置された遊技球誘導樋４２０は、図面向かって手前側の第１の流下側壁４２０ａ、この第１の流下側壁４２０ａと対向する第２の流下側壁４２０ｂ、および図面左側の上流側側壁４２０ｃを有している。また、その底部４２０ｄは、遊技球落下孔から落下した遊技球の落下位置から遊技球流通路４１０に向かって緩やかに下方に傾斜しており、遊技球はこのような底部４２０ｄにより転動流下する。そして、下流終端には側壁は形成されておらず、よって終端に到達した遊技球は遊技球流通路４１０へと導かれる。
【００５４】
遊技球誘導樋４２０の底部４２０ｄの中央には、区画壁４２０ｅが遊技球の流下方向に沿って下流終端まで延びて立設されている。これにより、第１の流下側壁４２０ａと区画壁４２０ｅとで挟まれた空間は遊技球の直径よりも僅かに広い幅の第１の誘導路４２１ａとなり、第２の流下側壁４２０ｂと区画壁４２０ｅとで挟まれた空間は、同じく遊技球の直径よりもやや広い幅の第２の誘導路４２１ｂとなっている。そして、遊技球は第１の誘導路４２１ａと第２の誘導路４２１ｂにそれぞれ１個ずつ整列されて２列で流下する。
【００５５】
なお、本実施の形態では誘導路は２つであるが、１つあるいは３つ以上形成されていてもよい。
【００５６】
第１の誘導路４２１ａおよび第２の誘導路４２１ｂには、一対の誘導レール４２２が誘導路４２１ａ，４２１ｂの長さ方向に沿って立設されている。誘導レール４２２は遊技球の直径よりも狭い幅となっており、このような誘導レール４２２により、遊技球は底部４２０ｄとは非接触状態で誘導路４２１ａ，４２１ｂ内を流下する。
【００５７】
遊技球誘導樋４２０の底部４２０ｄに設けられた一対の誘導レール４２２の間には、異物落下孔４２３が形成されている。この異物落下孔４２３は遊技球誘導樋４２０内の異物を除去するもので、遊技球に付着したゴミやメッキ屑、あるいは飛来してきた塵埃などの異物を異物落下孔４２３から落下排出することにより、遊技球誘導樋４２０に異物が堆積して遊技球のスムーズな流れが阻害されることのないようにしている。
【００５８】
なお、異物落下孔４２３がスリット状である本実施の形態では、異物落下孔４２３という開口が底部４２０ｄに形成されたことによる遊技球誘導樋４２０の剛性低下を防止するために、異物落下孔４２３の下側には、補強板４２４が適宜設けられている。
【００５９】
なお、本実施の形態においては、異物落下孔４２３は一対の誘導レール４２２の間に形成されているが、誘導レール４２２の外側に形成してもよい。あるいは、誘導レール４２２の間および外側の両方に形成してもよい。
【００６０】
また、本実施の形態では、異物落下孔４２３はスリットになっているが、孔形状はこれに限定されるものではなく、多数の丸孔の集合など、様々な形状を採用することができる。
【００６１】
そして、異物落下孔４２３は、遊技球誘導樋４２０内の異物を除去する一方で遊技球は落下しないようになっていなければならないことから、その幅は遊技球の直径よりも小さい限り、自由にその寸法を設定することができる。
【００６２】
なお、区画壁４２０ｅで区画された誘導路４２１ａ，４２１ｂや誘導路４２１ａ，４２１ｂ内の誘導レール４２２は形成されていなくてもよい。但し、誘導路４２１ａ，４２１ｂがなければ遊技球が整列されなくなってスムーズに転動流下しにくくなることから、形成されているのが望ましい。また、誘導レール４２２についても、特に異物落下孔４２３が遊技球の流下方向に沿って分断して複数形成されている場合には、異物落下孔４２３が遊技球の流下時における段差になってやはりスムーズに転動流下しにくくなることから、形成されているのが望ましい。
【００６３】
前述のように、このような構造の遊技球誘導樋４２０の下方には、上方に向けて開口した開口部１１１が上部に形成された副制御基板の基板ケース１１０が配置されている。
【００６４】
そして、遊技球誘導樋４２０と基板ケース１１０との間には、遊技球誘導樋４２０に形成された異物落下孔４２３から落下排出された異物が導入される異物導入部４３０が設けられている。この異物導入部４３０は、異物落下孔４２３からの落下異物が開口部１１１に進入しないように、異物落下孔４２３に向けて開口した開口部１１１の上方を含む位置に設けられている。したがって、異物導入部４３０の位置は、異物落下孔４２３に向けては開口していない開口部（つまり、符号１１１以外の開口部）とは無関係である。
【００６５】
なお、図示する場合においては、異物導入部４３０は遊技球誘導樋４２０と一体形成されて外側に向けて開口しており、相互に共通したベース板４４０を備えている。このような一体形成によれば、両者を別体に形成した場合に比べて部品点数が削減されるとともに組み立て工程も単純化できることから、コストの低減が図れる。
【００６６】
なお、本実施の形態において、異物導入部４３０は遊技球誘導樋４２０と一体に設けられているが、基板ケース１１０あるいはこれ以外の部材と一体となっていてもよい。
【００６７】
異物導入部４３０は、落下異物が貯留される底部４３０ａ、および底部４３０ａを３カ所で支持する側板部４３０ｂからなり、底部４３０ａはベース板４４０から外側に突出するように延びている（図６参照）。底部４３０ａは、遊技球誘導樋４２０における遊技球の流下方向上流側に位置する第１の底部４３０ａ−１と、遊技球の流下方向下流側に位置して第１の底部４３０ａ−１よりも低くなった第２の底部４３０ａ−２からなる。そして、前述した側板部４３０ｂは、１つは第１の底部４３０ａ−１の第２の底部４３０ａ−２とは反対側の端部を支持し、１つは第２の底部４３０ａ−２の第１の底部４３０ａ−１とは反対側の端部を支持し、１つは第１の底部４３０ａ−１と第２の底部４３０ａ−２とで形成される段差部を支持している。なお、底部は、このような段差がなく、同一平面となっていてもよい。また、底部は３カ所以外で支持されていてもよい。
【００６８】
そして、このような異物導入部４３０が設けられていることにより、遊技球誘導樋４２０の異物落下孔４２３から落下した異物は異物導入部４３０に導入されるので、基板ケース１１０の開口部１１１から内部に進入することが防止される。これにより、基板ケース１１０内の基板（ここでは、副制御基板）に異物が付着して電気的なショートが発生するおそれはなくなり、遊技機の正確な動作を担保することができる。
【００６９】
なお、異物導入部４３０は外側に向けて開口していることから、導入された異物は、遊技機のメンテナンス時などに容易に取り出すことができる。
【００７０】
ここで、図６に詳しく示すように、本実施の形態において、底部４３０ａは、基板ケース１１０の表面１１０ａよりも外側に突出している。このようにすれば、より一層異物が進入しにくくなるので、放熱用のために、あるいはコネクタ挿入用のために、より大きな開口部を確保することができる。なお、底部４３０ａは、基板ケース１１０の表面１１０ａと同じかそれ以上に外側に突出していれば足りる。また、底部４３０ａは、開口部１１１の上方を含む位置にある限り、必ずしも基板ケース１１０の表面１１０ａよりも外側まで突出している必要はない。
【００７１】
また、底部４３０ａを外側に向かって下方に傾斜させれば、導入された異物は底部４３０ａに沿って島設備側に落下しやすくなるので、異物導入部４３０に異物が貯まりにくくなって異物を取り除く頻度が低減される。
【００７２】
以上説明した実施の形態では、異物導入部４３０は外側に向けて開口した形状になっているが、全周にわたって側壁を有する箱状体であってもよい。箱状体にすれば、落下異物を異物導入部４３０内に確実に閉じ込めることができる。
【００７３】
また、異物導入部４３０は遊技球誘導樋４２０と一体成型されているが、図７に示すように、両者を相互に別体で形成し、異物導入部４３０を遊技球誘導樋４２０に着脱可能に取り付けるようにしてもよい。
【００７４】
すなわち、図示するように、異物導入部４３０の側板部４３０ｂの上端には、側板部４３０ｂに沿って延びるリブ４３０ｂ−１を形成し、遊技球誘導樋４２０には、このリブ４３０ｂ−１と係合する係合溝４２０−１を外部端まで形成する。このような構造では、リブ４３０ｂ−１を係合溝４２０−１にはめ込んで異物導入部４３０をスライドさせて押し込むことにより、異物導入部４３０が遊技球誘導樋４２０に取り付けられる。
【００７５】
このようにすれば、異物導入部４３０を取り外せることから、異物導入部４３０内の異物の除去が容易になるとともに、異物導入部４３０の清掃を容易に行うことができる。
【００７６】
なお、異物導入部４３０は、遊技球誘導樋４２０以外の部材、例えば基板ケース１１０や裏カバーなどに対して着脱可能になっていてもよい。つまり、異物導入部４３０は遊技機の何れかの部材に着脱可能になっていればよい。
【００７７】
また、着脱の形態には、図７に示すような構造ではなく、例えばねじ、凹凸嵌合、フックによる固定など、様々な形式を採用することができる。
【００７８】
さらに、本実施の形態では、遊技球誘導樋４２０の真下には副制御基板の基板ケース１１０が配置されているが、本発明での基板ケースは副制御基板の基板ケース１１０に限定されるものではなく、例えば主制御基板、枠中継基板、インバータ基板、電源基板、発射制御基板、払出制御基板、ＣＲ用基板、演出中継基板など種々の基板が収容された基板ケースを適用することができる。
【００７９】
本実施の形態では、このような基板ケースの開口部への異物進入を防止するために、異物導入部４３０は当該開口部の上方に設けられているが、異物導入部４３０は遊技球誘導樋４２０からの落下異物が導入されることにより基板ケース以外の開口部への異物進入を防止してもよいことから、異物導入部４３０は遊技球誘導樋４２０の下方に設けられていれば足り、必ずしも基板ケースの開口部の上方に位置していなくてもよい。
【００８０】
そして、異物を異物導入部に導くことにより、開口部以外の箇所からの異物の進入による電子部品のトラブルをも防止できることから、本発明は、開口部からのみならず、開口部以外の箇所からの異物の進入防止にも広く適用される。
【産業上の利用可能性】
【００８１】
以上の説明においては、本発明を遊技機の一つであるパチンコ機１に適用した場合が説明されているが、本発明はこれに限定されるものではなく、遊技媒体として遊技球を用いて遊技を行う遊技機であれば、例えばゲームセンターに設置された各種ゲーム機など、様々な遊技機に適用することが可能である。
【図面の簡単な説明】
【００８２】
【図１】本発明の一実施の形態である遊技機を示す斜視図である。
【図２】図１の遊技機の背面側を示す正面図である。
【図３】図２の遊技機の背面側における要部を示す斜視図である。
【図４】図１の遊技機に設けられた遊技球誘導樋と異物導入部とを示す斜視図である。
【図５】図４の正面図である。
【図６】図４のＡ−Ａ′線に沿って基板ケースを含めた断面図である。
【図７】本発明の他の実施の形態である遊技球誘導樋と異物導入部とを示す斜視図である。
【符号の説明】
【００８３】
１  パチンコ機（遊技機）
２ａ  遊技盤
２ｂ  遊技領域
３  遊技機本体
３ａ  本体枠
３ｂ  ベース枠
４  ガラス扉
５  皿ユニット
５ａ  上皿
５ｂ  下皿
６  レール
７  ハンドル
８ａ，８ｂ  スピーカ
９  球貸し操作パネル
１０  シャッタレバー
１２  一般入賞口
１３  始動口
１４  大入賞口
１５  アウト口
２１  液晶ディスプレイ（画像表示装置）
１００  主制御基板の基板カバー
１１０  副制御基板の基板カバー
１１０ａ  基板カバー１１０の表面
１１１  開口部
１２０  演出中継基板の基板カバー
１３０  枠中継基板の基板カバー
１４０  インバータ基板の基板カバー
１５０  電源基板の基板カバー
１６０  発射制御基板の基板カバー
１７０  払出制御基板の基板カバー
１８０  ＣＲ用基板の基板カバー
４００  貯留タンク
４１０  遊技球流通路
４２０  遊技球誘導樋
４２０−１  係合溝
４２０ａ  第１の流下側壁
４２０ｂ  第２の流下側壁
４２０ｃ  上流側側壁
４２０ｄ  底部
４２０ｅ  区画壁
４２１ａ  第１の誘導路
４２１ｂ  第２の誘導路
４２２  誘導レール
４２３  異物落下孔
４２４  補強板
４３０  異物導入部
４３０ａ  底部
４３０ａ−１  第１の底部
４３０ａ−２  第２の底部
４３０ｂ−１  リブ
４３０ｂ  側板部
４４０  ベース板
４５０  遊技球
【図１】
2006087549.tif 000003
【図２】
2006087549.tif 000004
【図３】
2006087549.tif 000005
【図４】
2006087549.tif 000006
【図５】
2006087549.tif 000007
【図６】
2006087549.tif 000008
【図７】
2006087549.tif 000009